【手続補正書】
【提出日】平成26年4月21日(2014.4.21)
【手続補正１】
【補正対象書類名】特許請求の範囲
【補正対象項目名】全文
【補正方法】変更
【補正の内容】
【特許請求の範囲】
【請求項１】
一覧を構成する複数の要素を複数のページに区分して表示させる情報処理装置であって、
前記要素の１ページあたりの表示制限件数に応じた区分条件とは異なる区分条件で、且つ、前記要素の属性に応じた区分条件に基づいて、前記複数の要素を区分して複数の要素群を決定する決定手段と、
前記決定手段により決定される複数の要素群を複数のページのうちの何れか１つのページに割り当てる割当手段であって、同一のページに表示される前記要素の数が、前記表示制限件数を基準とする所定範囲内に収まるように、複数の前記要素群それぞれに含まれる要素の全てを同一のページに割り当てる割当手段と、
を備えることを特徴とする情報処理装置。
【請求項２】
前記決定手段は、前記決定される複数の要素群から、第１の所定数未満の前記要素が含まれる要素群を特定し、該特定した要素群に含まれる要素が前記第１の所定数以上になるように前記区分条件を変更し、該変更した区分条件に基づいて、前記複数の要素を区分して複数の要素群を決定することを特徴とする請求項１に記載の情報処理装置。
【請求項３】
前記決定手段は、前記決定される複数の要素群から、第１の所定数未満の前記要素が含まれる要素群を複数特定し、該特定した複数の要素群を統合して、１つの要素群を決定することを特徴とする請求項１に記載の情報処理装置。
【請求項４】
前記決定手段は、所定の並び順で配列される複数の前記要素群のうち互いに隣り合う前記要素群を複数特定し、該特定した複数の要素群を統合することを特徴とする請求項３に記載の情報処理装置。
【請求項５】
前記決定手段は、前記決定される複数の要素群から、第２の所定数以上の前記要素が含まれる要素群を特定し、該特定した要素群に対する新たな前記区分条件に基づいて、該特定した要素群に含まれる要素の数が前記第２の所定数未満になるように、該特定した要素群に含まれる複数の要素を区分して複数の要素群を決定することを特徴とする請求項１に記載の情報処理装置。
【請求項６】
一覧を構成する複数の要素を複数のページに区分して表示させる情報処理装置により実行される情報処理方法であって、
前記要素の１ページあたりの表示制限件数に応じた区分条件とは異なる区分条件で、且つ、前記要素の属性に応じた区分条件に基づいて、前記複数の要素を区分して複数の要素群を決定する決定ステップと、
前記決定ステップにより決定される複数の要素群を複数のページのうちの何れか１つのページに割り当てる割当手段であって、同一のページに表示される前記要素の数が、前記表示制限件数を基準とする所定範囲内に収まるように、複数の前記要素群それぞれに含まれる要素の全てを同一のページに割り当てる割当ステップと、
を含むことを特徴とする情報処理方法。
【請求項７】
一覧を構成する複数の要素を複数のページに区分して表示させるコンピュータを、
前記要素の１ページあたりの表示制限件数に応じた区分条件とは異なる区分条件で、且つ、前記要素の属性に応じた区分条件に基づいて、前記複数の要素を区分して複数の要素群を決定する決定手段、及び前記決定手段により決定される複数の要素群を複数のページのうちの何れか１つのページに割り当てる割当手段であって、同一のページに表示される前記要素の数が、前記表示制限件数を基準とする所定範囲内に収まるように、複数の前記要素群それぞれに含まれる要素の全てを同一のページに割り当てる割当手段として機能させることを特徴とする情報処理プログラム。
【請求項８】
一覧を構成する複数の要素を複数のページに区分して表示させるコンピュータを、
前記要素の１ページあたりの表示制限件数に応じた区分条件とは異なる区分条件で、且つ、前記要素の属性に応じた区分条件に基づいて、前記複数の要素を区分して複数の要素群を決定する決定手段、及び前記決定手段により決定される複数の要素群を複数のページのうちの何れか１つのページに割り当てる割当手段であって、同一のページに表示される前記要素の数が、前記表示制限件数を基準とする所定範囲内に収まるように、複数の前記要素群それぞれに含まれる要素の全てを同一のページに割り当てる割当手段として機能させる情報処理プログラムがコンピュータ読み取り可能に記憶されていることを特徴とする記録媒体。
【手続補正２】
【補正対象書類名】明細書
【補正対象項目名】０００６
【補正方法】変更
【補正の内容】
【０００６】
上記課題を解決するために、請求項１に記載の発明は、一覧を構成する複数の要素を複数のページに区分して表示させる情報処理装置であって、前記要素の１ページあたりの表示制限件数に応じた区分条件とは異なる区分条件で、且つ、前記要素の属性に応じた区分条件に基づいて、前記複数の要素を区分して複数の要素群を決定する決定手段と、前記決定手段により決定される複数の要素群を複数のページのうちの何れか１つのページに割り当てる割当手段であって、同一のページに表示される前記要素の数が、前記表示制限件数を基準とする所定範囲内に収まるように、複数の前記要素群それぞれに含まれる要素の全てを同一のページに割り当てる割当手段と、を備えることを特徴とする。
【手続補正３】
【補正対象書類名】明細書
【補正対象項目名】０００７
【補正方法】変更
【補正の内容】
【０００７】
この発明によれば、要素間の比較しやすさを維持しながら、多数の要素を複数のページに分けて表示することができ、各ページに表示される要素の数のばらつきを低減することができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項２に記載の発明は、請求項１に記載の情報処理装置において、前記決定手段は、前記決定される複数の要素群から、第１の所定数未満の前記要素が含まれる要素群を特定し、該特定した要素群に含まれる要素が前記第１の所定数以上になるように前記区分条件を変更し、該変更した区分条件に基づいて、前記複数の要素を区分して複数の要素群を決定することを特徴とする。
【手続補正７】
【補正対象書類名】明細書
【補正対象項目名】００１２
【補正方法】変更
【補正の内容】
【００１２】
請求項３に記載の発明は、請求項１に記載の情報処理装置において、前記決定手段は、前記決定される複数の要素群から、第１の所定数未満の前記要素が含まれる要素群を複数特定し、該特定した複数の要素群を統合して、１つの要素群を決定することを特徴とする。
【手続補正８】
【補正対象書類名】明細書
【補正対象項目名】００１４
【補正方法】変更
【補正の内容】
【００１４】
請求項４に記載の発明は、請求項３に記載の情報処理装置において、前記決定手段は、所定の並び順で配列される複数の前記要素群のうち互いに隣り合う前記要素群を複数特定し、該特定した複数の要素群を統合することを特徴とする。
【手続補正９】
【補正対象書類名】明細書
【補正対象項目名】００１６
【補正方法】変更
【補正の内容】
【００１６】
請求項５に記載の発明は、請求項１に記載の情報処理装置において、前記決定手段は、前記決定される複数の要素群から、第２の所定数以上の前記要素が含まれる要素群を特定し、該特定した要素群に対する新たな前記区分条件に基づいて、該特定した要素群に含まれる要素の数が前記第２の所定数未満になるように、該特定した要素群に含まれる複数の要素を区分して複数の要素群を決定することを特徴とする。
【手続補正１０】
【補正対象書類名】明細書
【補正対象項目名】００１８
【補正方法】変更
【補正の内容】
【００１８】
請求項６に記載の発明は、一覧を構成する複数の要素を複数のページに区分して表示させる情報処理装置により実行される情報処理方法であって、前記要素の１ページあたりの表示制限件数に応じた区分条件とは異なる区分条件で、且つ、前記要素の属性に応じた区分条件に基づいて、前記複数の要素を区分して複数の要素群を決定する決定ステップと、前記決定ステップにより決定される複数の要素群を複数のページのうちの何れか１つのページに割り当てる割当手段であって、同一のページに表示される前記要素の数が、前記表示制限件数を基準とする所定範囲内に収まるように、複数の前記要素群それぞれに含まれる要素の全てを同一のページに割り当てる割当ステップと、を含むことを特徴とする。
【手続補正１１】
【補正対象書類名】明細書
【補正対象項目名】００１９
【補正方法】変更
【補正の内容】
【００１９】
請求項７に記載の情報処理プログラムの発明は、一覧を構成する複数の要素を複数のページに区分して表示させるコンピュータを、前記要素の１ページあたりの表示制限件数に応じた区分条件とは異なる区分条件で、且つ、前記要素の属性に応じた区分条件に基づいて、前記複数の要素を区分して複数の要素群を決定する決定手段、及び前記決定手段により決定される複数の要素群を複数のページのうちの何れか１つのページに割り当てる割当手段であって、同一のページに表示される前記要素の数が、前記表示制限件数を基準とする所定範囲内に収まるように、複数の前記要素群それぞれに含まれる要素の全てを同一のページに割り当てる割当手段として機能させることを特徴とする。
【手続補正１２】
【補正対象書類名】明細書
【補正対象項目名】００２０
【補正方法】変更
【補正の内容】
【００２０】
請求項８に記載の記録媒体は、一覧を構成する複数の要素を複数のページに区分して表示させるコンピュータを、前記要素の１ページあたりの表示制限件数に応じた区分条件とは異なる区分条件で、且つ、前記要素の属性に応じた区分条件に基づいて、前記複数の要素を区分して複数の要素群を決定する決定手段、及び前記決定手段により決定される複数の要素群を複数のページのうちの何れか１つのページに割り当てる割当手段であって、同一のページに表示される前記要素の数が、前記表示制限件数を基準とする所定範囲内に収まるように、複数の前記要素群それぞれに含まれる要素の全てを同一のページに割り当てる割当手段として機能させる情報処理プログラムがコンピュータ読み取り可能に記憶されていることを特徴とする。